(57)【要約】      （修正有）【課題】配分が調節可能な便利な密封型弁当箱を提供する。【解決手段】配分が調節可能な便利な密封型弁当箱は、長方形の弁当箱本体１と、弁当箱本体の上端に被せられる蓋とを含み、更に可動式仕切りフレームを含み、弁当箱本体の長手方向の両側の内面中央部には、内側に向けて突出した複数の垂直突起３が均等又は不均等に設けられており、可動式仕切りフレームは、フレーム４と仕切り板とを含み、フレームはＵ字形であり、フレームの両側の垂直面には、下方に向けて延在する開口溝がそれぞれ設けられており、仕切り板はフレームに設けられており、可動式仕切りフレームにおけるフレーム上の両側の開口溝は、所要の位置の両側の垂直突起に係合される。【選択図】図２
0003224980.tif 000002
【実用新案登録請求の範囲】
【請求項１】
長方形の弁当箱本体と、弁当箱本体の上端に被せられる蓋とを含む、配分が調節可能な便利な密封型弁当箱であって、
可動式仕切りフレームを含み、前記弁当箱本体の長手方向の両側の内面中央部には、該弁当箱本体の内側に向けて突出した複数の垂直突起が均等又は不均等に設けられており、前記可動式仕切りフレームは、フレームと仕切り板とを含み、前記フレームはＵ字形であり、フレームの両側の垂直面には、下方に向けて延在する開口溝がそれぞれ設けられており、前記仕切り板はフレームに設けられており、可動式仕切りフレームにおけるフレーム上の両側の開口溝は、所要の位置の両側の垂直突起に係合される、ことを特徴とする、配分が調節可能な便利な密封型弁当箱。
【請求項２】
調味料収納ボウルを更に含み、前記調味料収納ボウルは、可動式仕切りフレームにおける仕切り板に水平に設けられている、ことを特徴とする、請求項１に記載の配分が調節可能な便利な密封型弁当箱。
【請求項３】
調味料収納ボウルのカバーと、箸とを更に含み、前記調味料収納ボウルのカバーの上面中央部には、箸置きが設けられており、前記箸が箸置きに水平に置かれ、前記調味料収納ボウルのカバーは調味料収納ボウルに被せられる、ことを特徴とする、請求項２に記載の配分が調節可能な便利な密封型弁当箱。
【請求項４】
前記箸置きは、２つの円弧形のパネルにより構成されており、２つの円弧形のパネルの凸円弧面は対向して設けられており、２つの円弧形のパネルの下部は、調味料収納ボウルのカバーに固定されており、箸は、２つの円弧形のパネルの間に挟まれる、ことを特徴とする、請求項３に記載の配分が調節可能な便利な密封型弁当箱。
【請求項５】
係止板と、係止ホルダと、バックルとを更に含み、前記係止板の上端は、蓋の両側にヒンジ接続されており、前記バックルは、係止板の裏側に設けられており、係止ホルダは、弁当箱本体の両側の上縁部に設けられており、蓋が弁当箱本体に被せられ、係止板が下方に向けて折り曲げられて、係止板上のバックルが弁当箱本体の係止ホルダに係合される、ことを特徴とする、請求項１から４のいずれか一項に記載の配分が調節可能な便利な密封型弁当箱。
【請求項６】
パッキンを更に含み、前記パッキンは蓋に設けられており、蓋が弁当箱本体に被せられて、弁当箱本体の上部開口部がパッキンの下面に当接する、ことを特徴とする、請求項１から５のいずれか一項に記載の配分が調節可能な便利な密封型弁当箱。
【考案の詳細な説明】
【技術分野】
【０００１】
[0001]  本考案は、弁当箱、特に配分が調節可能な便利な密封型弁当箱に関する。
【背景技術】
【０００２】
[0002]  従来技術において、弁当箱の種類は多いが、主食とおかずが混ざり合う現象を変えるために、多くは弁当箱本体内において仕切り方式を用いて仕切ったり、あるいは、多段方式を用いて増加した容器に収納したりしている。しかしながら、１つ目の方式は、おかずと主食を収納する割合が固定されているので、人ごとに調節することができず、２つ目の方式は、収納容器が増加して、弁当箱自体の体積が大きくなり、持ち運びに不便である。
【考案の概要】
【考案が解決しようとする課題】
【０００３】
[0003]  これに鑑みて、本考案の主な目的は、配分が調節可能な便利な密封型弁当箱を提供することであり、本技術方案によれば、１つの容器を用いて使用者の生活習慣に応じて主食とおかずの量の割合を調節することができ、且つ一定量の調味料や食品、例えば中国北部の人々が好む漬物、発酵豆腐等や中国南部の人々が好むチリソース等も個別に収納することができ、箸が弁当箱本体内に置かれ、使用が便利で且つ衛生的であり、密封性がよく、持ち運びに便利である。
【課題を解決するための手段】
【０００４】
[0004]  上述の目的を達成するために、本考案の技術方案は、以下のように実現される。配分が調節可能な便利な密封型弁当箱は、長方形の弁当箱本体と、弁当箱本体の上端に被せられる蓋とを含む配分が調節可能な便利な密封型弁当箱であって、可動式仕切りフレームを更に含み、弁当箱本体の長手方向の両側の内面中央部には、弁当箱本体の内側に向けて突出した複数の垂直突起が均等又は不均等に設けられており、可動式仕切りフレームは、フレームと仕切り板とを含み、フレームはＵ字形であり、フレームの両側の垂直面には、下方に向けて延在する開口溝がそれぞれ設けられており、仕切り板はフレームに設けられており、可動式仕切りフレームにおけるフレーム上の両側の開口溝は、所要の位置の両側の垂直突起に係合される。
【０００５】
[0005]  更なる技術方案として、調味料収納ボウルを更に含み、調味料収納ボウルは、可動式仕切りフレームにおける仕切り板に水平に設けられる。
【０００６】
[0006]  更なる技術方案として、調味料収納ボウルのカバーと、箸とを更に含み、調味料収納ボウルのカバーの上面中央部には、箸置きが設けられており、箸が箸置きに水平に置かれ、調味料収納ボウルのカバーは調味料収納ボウルに被せられる。
【０００７】
[0007]  更なる技術方案として、箸置きは、２つの円弧形のパネルにより構成されており、２つの円弧形のパネルの凸円弧面は対向して設けられており、２つの円弧形パネルの下部は、調味料収納ボウルのカバーに固定されており、箸は、２つの円弧形パネルの間に挟まれる。
【０００８】
[0008]  更なる技術方案として、係止板と、係止ホルダと、バックルとを更に含み、係止板の上端は、蓋の両側にヒンジ接続されており、バックルは、係止板の裏側に設けられており、係止ホルダは、弁当箱本体の両側の上縁部に設けられており、蓋が弁当箱本体に被せられ、係止板が下方に向けて折り曲げられて、係止板上のバックルが弁当箱本体の係止ホルダに係合される。
【０００９】
[0009]  更なる技術方案として、パッキンを更に含み、パッキンは蓋に設けられており、蓋が弁当箱本体に被せられて、弁当箱本体の上部開口部がパッキンの下面に当接する。
【００１０】
[0010]  上述の技術方案を用いた有益な効果は、配分が調節可能な便利な密封型弁当箱であり、本技術方案によれば、１つの容器を用いて使用者の生活習慣に応じて主食とおかずの量の割合を調節することができ、且つ一定量の調味料や食品、例えば中国北部の人々が好む漬物、発酵豆腐等や中国南部の人々が好むチリソース等も個別に収納することができ、箸が弁当箱本体内に置かれ、使用が便利で且つ衛生的であり、密封性がよく、持ち運びに便利である。
【図面の簡単な説明】
【００１１】
【図１】[0011]  本考案の全体構成模式図である。
【図２】[0012]  本考案における弁当箱本体の構成模式図である。
【図３】[0013]  本考案におけるフレームと調味料収納ボウルの構成模式図である。
【図４】[0014]  図３の側面構成模式図である。
【図５】[0015]  図３の平面構成模式図である。
【考案を実施するための形態】
【００１２】
[0017]  以下において、図面を参照して本考案における具体的な実施例について更に詳細に説明する。
【００１３】
[0018]  図１から図５に示されるように、本考案にかかる配分が調節可能な便利な密封型弁当箱は、四角形（例えば長方形）の弁当箱本体１と、弁当箱本体１の上端に被せられる蓋２とを含む。配分が調節可能な便利な密封型弁当箱は、可動式仕切りフレームを更に含み、弁当箱本体１の長手方向の両側の内面中央部には、弁当箱本体１の内側に向けて突出した複数の垂直突起３が、均等又は不均等に設けられており、可動式仕切りフレームは、フレーム４と仕切り板５とを含み、フレーム４はＵ字形であり、フレーム４の両側の垂直面には、下方に向けて開口した開口溝６がそれぞれ設けられており、仕切り板５はフレーム４に設けられている。可動式仕切りフレームにおけるフレーム４上の両側の開口溝６は、所要の位置の両側の垂直突起３に係合される。
【００１４】
[0019]  更なる実施例として、調味料収納ボウル７を更に含み、調味料収納ボウル７は、可動式仕切りフレームにおける仕切り板５に水平に設けられる。
【００１５】
[0020]  更なる実施例として、調味料収納ボウルのカバー８と箸９とを更に含み、調味料収納ボウルのカバー８の上面中央部には、箸置きが設けられており、箸９（例えば中央部）が箸置きに水平に置かれ、調味料収納ボウルのカバー８は調味料収納ボウル７に被せられる。
【００１６】
[0021]  更なる実施例として、箸置きは、２つの円弧形のパネル１０により構成されており、２つの円弧形のパネル１０の凸円弧面は対向して設けられており、２つの円弧形のパネル１０の下部は、調味料収納ボウルのカバー８に固定されており、箸９は、２つの円弧形のパネル１０の間に挟まれる。
【００１７】
[0022]  更なる実施例として、係止板１１と、係止ホルダ１２と、バックル１３とを更に含み、係止板１１の上端は、蓋２の両側にヒンジ接続されており、バックル１３は、係止板１１の内側面に設けられており、係止ホルダ１２は、弁当箱本体１の両側の上縁部に設けられており、蓋２が弁当箱本体１に被せられ、係止板１１が下方に向けて折り曲げられて、係止板１１上のバックル１３が弁当箱本体１の係止ホルダ１２に係合される。
【００１８】
[0023]  更なる実施例として、パッキン１４を更に含み、パッキン１４は蓋２に設けられており、蓋２が弁当箱本体１に被せられて、弁当箱本体１の上部開口部がパッキン１４の下面に当接する。
【００１９】
[0024]  本考案は、使用される際に、個人の嗜好に応じて調味料収納ボウル７に調味料や食品を収納することができ、収納された調味料や食品は、主食やおかずと混ざることがない。また、個人の食量の多さに応じて、可動式仕切りフレームを所定の位置の垂直突起３に係合させることにより、主食とおかずの割合を調節することができる。
【００２０】
[0025]  以上は、本考案の好ましい実現可能な実施例に過ぎず、本考案の範囲を限定するためのものではない。
【符号の説明】
【００２１】
[0016]
１  弁当箱本体
２  蓋
３  垂直突起
４  フレーム
５  仕切り板
６  開口溝
７  調味料収納ボウル
８  調味料収納ボウルのカバー
９  箸
１０  円弧形のパネル
１１  係止板
１２  係止ホルダ
１３  バックル
１４  パッキン
【図１】
0003224980.tif 000003
【図２】
0003224980.tif 000004
【図３】
0003224980.tif 000005
【図４】
0003224980.tif 000006
【図５】
0003224980.tif 000007